(57)【要約】【課題】  曲ＩＤを用いなくても放送時刻が不明でも必要とする音楽コンテンツを購入することができる音楽コンテンツ販売方法、システム、配信装置、配信事業者装置、端末、プログラム、及び記録媒体を提供する。【解決手段】  音楽コンテンツの購入希望者の携帯情報端末１０から音楽コンテンツの購入希望信号が発生されると、利用者施設内に配置された音楽コンテンツ販売装置２２から音楽コンテンツが購入希望者の携帯情報端末１０へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。【選択図】  図１
2006259907.tif 000002
【特許請求の範囲】
【請求項１】
インターネットを介して配信されるＢＧＭ用の音楽コンテンツをＢＧＭ利用者側の利用者施設内で放送し、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信されることを特徴とする音楽コンテンツ販売方法。
【請求項２】
前記インターネットを介して配信される音楽コンテンツを全て保存手段で保存し、選曲手段で選曲した後で前記利用者施設内で音楽を放送することを特徴とする請求項１記載の音楽コンテンツ販売方法。
【請求項３】
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限することを特徴とする請求項１記載の音楽コンテンツ販売方法。
【請求項４】
前記インターネットを介して配信される音楽コンテンツを保存せず前記利用者施設内で放送されている音楽のみ購入可能に制限することを特徴とする請求項１記載の音楽コンテンツ販売方法。
【請求項５】
前記音楽コンテンツの購入希望者の携帯情報端末からの購入希望信号を受信する複数の音楽コンテンツ販売装置を前記利用者施設内の各客用テーブル上にそれぞれ設置することを特徴とする請求項１から４のいずれか１項記載の音楽コンテンツ販売方法。
【請求項６】
前記音楽コンテンツの購入希望者の携帯情報端末からの購入希望信号を受信する音楽コンテンツ販売装置を前記利用者施設内の清算所に１台のみ設置し、前記利用者施設内の各客用テーブルに前記音楽コンテンツの購入希望者により購入希望音楽コンテンツの聴取時間が記入されるオーダーシートを配布し、清算時に前記オーダーシートに記入された聴取時間を前記音楽コンテンツ販売装置に入力すると、前記音楽コンテンツが前記携帯情報端末に配信されるとともに前記精算所で即時決済することを特徴とする請求項１から４のいずれか１項記載の音楽コンテンツ販売方法。
【請求項７】
前記携帯情報端末が電子マネー内蔵型携帯情報端末であり、該電子マネー内蔵型携帯情報端末で後日接決済を行うことを特徴とする請求項１から５のいずれか１項記載の音楽コンテンツ販売方法。
【請求項８】
前記インターネットを利用して後日決済を行うことを特徴とする請求項１から５のいずれか１項記載の音楽コンテンツ販売方法。
【請求項９】
ＢＧＭ用の音楽コンテンツを配信するためのＢＧＭ配信事業者装置と、
インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えたことを特徴とする音楽コンテンツ販売システム。
【請求項１０】
ＢＧＭ配信事業者側の配信施設内に配置され、ＢＧＭ利用者側の利用者施設側へインターネットを介してＢＧＭ用の音楽コンテンツを配信するＢＧＭ配信サーバと、
前記利用者施設内に配置され前記インターネットを介して配信された前記音楽コンテンツを前記利用者施設内で放送するＢＧＭ再生装置と、
前記音楽コンテンツの購入希望者に所有され前記音楽コンテンツの購入希望信号を発生する携帯情報端末と、
前記利用者施設内に配置され前記携帯情報端末から前記購入希望信号を受信すると前記音楽コンテンツを前記購入希望者の携帯情報端末へ配信する音楽コンテンツ販売装置とを備えたことを特徴とする音楽コンテンツ販売システム。
【請求項１１】
前記利用者施設内に配置され前記インターネットを介して配信される音楽コンテンツを全て保存する保存手段と、
該保存手段に保存された音楽コンテンツの中から選曲した後で前記利用者施設内で音楽を放送するための選曲手段とを備えたことを特徴とする請求項１０記載の音楽コンテンツ販売システム。
【請求項１２】
前記インターネットを介して配信される音楽コンテンツを現在放送している音楽からｎ（１≦ｎ）曲前までのｎ＋１曲分だけ保存する保存機能を備え、
前記購入希望者の希望することができる音楽コンテンツを現在放送されている音楽のｎ（１≦ｎ）曲前までに制限するようにしたことを特徴とする請求項１０記載の音楽コンテンツ販売システム。
【請求項１３】
前記インターネットを介して配信される音楽コンテンツを保存せず前記利用者施設内で放送されている音楽のみ購入可能に制限するようにしたことを特徴とする請求項１０記載の音楽コンテンツ販売システム。
【請求項１４】
前記音楽コンテンツの購入希望者の携帯情報端末からの購入希望信号を受信するための複数の音楽コンテンツ販売装置を前記利用者施設内の各客用テーブル上にそれぞれ設置するようにしたことを特徴とする請求項１０から１３のいずれか１項記載の音楽コンテンツ販売システム。
【請求項１５】
前記音楽コンテンツの購入希望者の携帯情報端末からの購入希望信号を受信する音楽コンテンツ販売装置を前記利用者施設内の精算所に１台のみ設置し、
前記利用者施設内の各客用テーブルに配布され前記音楽コンテンツの購入希望者により購入希望音楽コンテンツの聴取時間が記入されるオーダーシートと、
清算時に前記オーダーシートに記入された聴取時間が前記音楽コンテンツ販売装置に入力されると前記音楽コンテンツが前記携帯情報端末に配信されるとともに前記精算所で即時決済するようにしたことを特徴とする請求項１０から１３のいずれか１項記載の音楽コンテンツ販売システム。
【請求項１６】
前記携帯情報端末が電子マネー内蔵型携帯情報端末であり、該電子マネー内蔵型携帯情報端末で後日接決済を行うようにしたことを特徴とする請求項１０から１４のいずれか１項記載の音楽コンテンツ販売システム。
【請求項１７】
前記インターネットを利用して後日決済を行うようにしたことを特徴とする請求項１０から１４のいずれか１項記載の音楽コンテンツ販売システム。
【請求項１８】
ＢＧＭ利用者側の利用者施設内に配置されインターネットに接続するための利用者側ゲートウェイと、
前記利用者側ゲートウェイに接続され前記インターネットを介してＢＧＭ用の音楽コンテンツをＢＧＭ配信事業者側から配信されると前記利用者施設内でＢＧＭ用の音楽を放送するＢＧＭ再生装置と、
前記利用者施設内に配置され前記音楽コンテンツの購入希望者の携帯情報端末から前記音楽コンテンツの購入希望信号が発生されると、前記音楽コンテンツが前記購入希望者の携帯情報端末へ配信する音楽コンテンツ販売装置とを備えたことを特徴とするＢＧＭ配信装置。
【請求項１９】
前記インターネットを介して配信される音楽コンテンツを全て保存する保存手段と、
前記保存手段に保存された音楽コンテンツを選曲した後で前記利用者施設内で音楽を放送するための選曲手段とを備えたことを特徴とする請求項１８記載のＢＧＭ配信装置。
【請求項２０】
前記インターネットを介して配信される音楽コンテンツを現在放送している音楽からｎ（１≦ｎ）曲前までのｎ＋１曲分だけ保存する機能を備え、
前記購入希望者の希望することができる音楽コンテンツを現在放送されている音楽のｎ（１≦ｎ）曲前までに制限するようにしたことを特徴とする請求項１８記載のＢＧＭ配信装置。
【請求項２１】
前記インターネットを介して配信される音楽コンテンツを保存せず前記利用者施設内で放送されている音楽のみ購入可能に制限するようにしたことを特徴とする請求項１８記載のＢＧＭ配信装置。
【請求項２２】
前記音楽コンテンツの購入希望者の携帯情報端末からの購入希望信号を受信する複数の音楽コンテンツ販売装置を前記利用者施設内の各客用テーブル上にそれぞれ設置するようにしたことを特徴とする請求項１８から２１のいずれか１項記載のＢＧＭ配信装置。
【請求項２３】
前記音楽コンテンツの購入希望者の携帯情報端末からの購入希望信号を受信する音楽コンテンツ販売装置を前記利用者施設内の精算所に１台のみ設置し、
前記利用者施設内の各客用テーブルに配布され前記音楽コンテンツの購入希望者により購入希望音楽コンテンツの聴取時間が記入されるオーダーシートと、
清算時に前記オーダーシートに記入された聴取時間が前記音楽コンテンツ販売装置に入力されると前記音楽コンテンツが前記携帯情報端末に配信されるとともに前記精算所で即時決済するようにしたことを特徴とする請求項１８から２１のいずれか１項記載のＢＧＭ配信装置。
【請求項２４】
前記携帯情報端末が電子マネー内蔵型携帯情報端末であり、該電子マネー内蔵型携帯情報端末で後日接決済を行うようにしたことを特徴とする請求項１８から２２のいずれか１項記載のＢＧＭ配信装置。
【請求項２５】
前記インターネットを利用して後日決済を行うようにしたことを特徴とする請求項１８から２２のいずれか１項記載のＢＧＭ配信装置。
【請求項２６】
ＢＧＭ配信事業者側の配信施設内に配置されインターネットに接続するための配信側ゲートウェイと、
前記配信側ゲートウェイに接続され前記インターネットを介してＢＧＭ用の音楽コンテンツをＢＧＭ利用者側へ配信するＢＧＭ配信サーバーと、
前記ＢＧＭ配信サーバーに接続され音楽コンテンツを格納する楽曲データベースとを備えたことを特徴とするＢＧＭ配信事業者装置。
【請求項２７】
インターネットを介してＢＧＭ配信事業者装置から配信された音楽コンテンツを放送するＢＧＭ利用者側の利用者施設内で、前記音楽コンテンツの購入希望信号を発生すると、前記音楽コンテンツが配信されることを特徴とする携帯情報端末。
【請求項２８】
ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける前記ＢＧＭ配信装置のコンピュータに、
その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させることを特徴とする音楽コンテンツ販売プログラム。
【請求項２９】
前記コンピュータに、
前記インターネットを介して配信される音楽コンテンツを全て保存手段で保存し、選曲手段で選曲した後で前記利用者施設内で音楽を放送する処理を実行させることを特徴とする請求項２８記載の音楽コンテンツ販売プログラム。
【請求項３０】
前記コンピュータに、
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させることを特徴とする請求項２８記載の音楽コンテンツ販売プログラム。
【請求項３１】
前記コンピュータに、
前記インターネットを介して配信される音楽コンテンツを保存せず前記利用者施設内で放送されている音楽のみ購入可能に制限する処理を実行させることを特徴とする請求項２８記載の音楽コンテンツ販売プログラム。
【請求項３２】
前記コンピュータに、
前記利用者施設内の各客用テーブル上にそれぞれ設置される複数の音楽コンテンツ販売装置が音楽コンテンツの購入希望者の携帯情報端末からの購入希望信号を受信する処理を実行させることを特徴とする請求項２８から３１のいずれか１項記載の音楽コンテンツ販売プログラム。
【請求項３３】
前記コンピュータに、
前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させることを特徴とする請求項２８から３１のいずれか１項記載の音楽コンテンツ販売プログラム。
【請求項３４】
携帯情報端末が電子マネー内蔵型携帯情報端末の場合、前記コンピュータに、
前記電子マネー内蔵型携帯情報端末で後日接決済を行う処理を実行させることを特徴とする請求項２８から３１のいずれか１項記載の音楽コンテンツ販売プログラム。
【請求項３５】
前記コンピュータに、
インターネットを利用して後日決済を行う処理を実行させることを特徴とする請求項２８から３１のいずれか１項記載の音楽コンテンツ販売プログラム。
【請求項３６】
インターネットを介して配信されるＢＧＭ用の音楽コンテンツをＢＧＭ利用者側の利用者施設内で放送するＢＧＭ配信装置のコンピュータに、
その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させるプログラムを記録したことを特徴とする記録媒体。
【請求項３７】
前記コンピュータに、
前記インターネットを介して配信される音楽コンテンツを全て保存手段で保存し、選曲手段で選曲した後で前記利用者施設内で音楽を放送する処理を実行させるプログラムを記録したことを特徴とする請求項３６記載の記録媒体。
【請求項３８】
前記コンピュータに、
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させるプログラムを記録したことを特徴とする請求項３６記載の記録媒体。
【請求項３９】
前記コンピュータに、
前記インターネットを介して配信される音楽コンテンツを保存せず前記利用者施設内で放送されている音楽のみ購入可能に制限する処理を実行させるプログラムを記録したことを特徴とする請求項３６記載の記録媒体。
【請求項４０】
前記コンピュータに、
前記利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録したことを特徴とする請求項３６から３９のいずれか１項記載の記録媒体。
【請求項４１】
前記コンピュータに、
前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させるプログラムを記録したことを特徴とする請求項３６から３９のいずれか１項記載の記録媒体。
【請求項４２】
携帯情報端末が電子マネー内蔵型携帯情報端末の場合、前記コンピュータに、
前記電子マネー内蔵型携帯情報端末で後日接決済を行う処理を実行させるプログラムを記録したことを特徴とする請求項３６から３９のいずれか１項記載の記録媒体。
【請求項４３】
前記コンピュータに、
インターネットを利用して後日決済を行う処理を実行させるプログラムを記録したことを特徴とする請求項３６から３９のいずれか１項記載の記録媒体。
【請求項４４】
ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける前記ＢＧＭ配信事業者装置のコンピュータに、
その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させることを特徴とする音楽コンテンツ販売プログラム。
【請求項４５】
前記コンピュータに、
前記インターネットを介して配信される音楽コンテンツを全て保存手段で保存し、選曲手段で選曲した後で前記利用者施設内で音楽を放送する処理を実行させることを特徴とする請求項４４記載の音楽コンテンツ販売プログラム。
【請求項４６】
前記コンピュータに、
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させることを特徴とする請求項４４記載の音楽コンテンツ販売プログラム。
【請求項４７】
前記コンピュータに、
前記インターネットを介して配信される音楽コンテンツを保存せず前記利用者施設内で放送されている音楽のみ購入可能に制限する処理を実行させることを特徴とする請求項４４記載の音楽コンテンツ販売プログラム。
【請求項４８】
前記コンピュータに、
前記利用者施設内の各客用テーブル上にそれぞれ設置される複数の音楽コンテンツ販売装置が音楽コンテンツの購入希望者の携帯情報端末からの購入希望信号を受信する処理を実行させることを特徴とする請求項４４から４７のいずれか１項記載の音楽コンテンツ販売プログラム。
【請求項４９】
前記コンピュータに、
前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させることを特徴とする請求項４４から４７のいずれか１項記載の音楽コンテンツ販売プログラム。
【請求項５０】
携帯情報端末が電子マネー内蔵型携帯情報端末の場合、前記コンピュータに、
前記電子マネー内蔵型携帯情報端末で後日接決済を行う処理を実行させることを特徴とする請求項４４から４７のいずれか１項記載の音楽コンテンツ販売プログラム。
【請求項５１】
前記コンピュータに、
インターネットを利用して後日決済を行う処理を実行させることを特徴とする請求項４４から４７のいずれか１項記載の音楽コンテンツ販売プログラム。
【請求項５２】
ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおけるＢＧＭ配信装置のコンピュータに、
その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させるプログラムを記録したことを特徴とする記録媒体。
【請求項５３】
前記コンピュータに、
前記インターネットを介して配信される音楽コンテンツを全て保存手段で保存し、選曲手段で選曲した後で前記利用者施設内で音楽を放送する処理を実行させるプログラムを記録したことを特徴とする請求項５２記載の記録媒体。
【請求項５４】
前記コンピュータに、
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させるプログラムを記録したことを特徴とする請求項５２記載の記録媒体。
【請求項５５】
前記コンピュータに、
前記インターネットを介して配信される音楽コンテンツを保存せず前記利用者施設内で放送されている音楽のみ購入可能に制限する処理を実行させるプログラムを記録したことを特徴とする請求項５２記載の記録媒体。
【請求項５６】
前記コンピュータに、
前記利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録したことを特徴とする請求項５２から５５のいずれか１項記載の記録媒体。
【請求項５７】
前記コンピュータに、
前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させるプログラムを記録したことを特徴とする請求項５２から５３のいずれか１項記載の記録媒体。
【請求項５８】
携帯情報端末が電子マネー内蔵型携帯情報端末の場合、前記コンピュータに、
前記電子マネー内蔵型携帯情報端末で後日接決済を行う処理を実行させるプログラムを記録したことを特徴とする請求項５２から５５のいずれか１項記載の記録媒体。
【請求項５９】
前記コンピュータに、
インターネットを利用して後日決済を行う処理を実行させるプログラムを記録したことを特徴とする請求項５２から５５のいずれか１項記載の記録媒体。
【請求項６０】
ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける前記携帯情報端末のコンピュータに、
その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させることを特徴とする音楽コンテンツ販売プログラム。
【請求項６１】
前記コンピュータに、
前記インターネットを介して配信される音楽コンテンツを全て保存手段で保存し、選曲手段で選曲した後で前記利用者施設内で音楽を放送する処理を実行させることを特徴とする請求項６０記載の音楽コンテンツ販売プログラム。
【請求項６２】
前記コンピュータに、
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させることを特徴とする請求項６０記載の音楽コンテンツ販売プログラム。
【請求項６３】
前記コンピュータに、
前記インターネットを介して配信される音楽コンテンツを保存せず前記利用者施設内で放送されている音楽のみ購入可能に制限する処理を実行させることを特徴とする請求項６０記載の音楽コンテンツ販売プログラム。
【請求項６４】
前記コンピュータに、
前記利用者施設内の各客用テーブル上にそれぞれ設置される複数の音楽コンテンツ販売装置が音楽コンテンツの購入希望者の携帯情報端末からの購入希望信号を受信する処理を実行させることを特徴とする請求項６０から６３のいずれか１項記載の音楽コンテンツ販売プログラム。
【請求項６５】
前記コンピュータに、
前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させることを特徴とする請求項６０から６３のいずれか１項記載の音楽コンテンツ販売プログラム。
【請求項６６】
携帯情報端末が電子マネー内蔵型携帯情報端末の場合、前記コンピュータに、
前記電子マネー内蔵型携帯情報端末で後日接決済を行う処理を実行させることを特徴とする請求項６０から６３のいずれか１項記載の音楽コンテンツ販売プログラム。
【請求項６７】
前記コンピュータに、
インターネットを利用して後日決済を行う処理を実行させることを特徴とする請求項６０から６３のいずれか１項記載の音楽コンテンツ販売プログラム。
【請求項６８】
ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける携帯情報端末のコンピュータに、
その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させるプログラムを記録したことを特徴とする記録媒体。
【請求項６９】
前記コンピュータに、
前記インターネットを介して配信される音楽コンテンツを全て保存手段で保存し、選曲手段で選曲した後で前記利用者施設内で音楽を放送する処理を実行させるプログラムを記録したことを特徴とする請求項６８記載の記録媒体。
【請求項７０】
前記コンピュータに、
前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させるプログラムを記録したことを特徴とする請求項６８記載の記録媒体。
【請求項７１】
前記コンピュータに、
前記インターネットを介して配信される音楽コンテンツを保存せず前記利用者施設内で放送されている音楽のみ購入可能に制限する処理を実行させるプログラムを記録したことを特徴とする請求項６８記載の記録媒体。
【請求項７２】
前記コンピュータに、
前記利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録したことを特徴とする請求項６８から７１のいずれか１項記載の記録媒体。
【請求項７３】
前記コンピュータに、
前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させるプログラムを記録したことを特徴とする請求項６８から７１のいずれか１項記載の記録媒体。
【請求項７４】
携帯情報端末が電子マネー内蔵型携帯情報端末の場合、前記コンピュータに、
前記電子マネー内蔵型携帯情報端末で後日接決済を行う処理を実行させるプログラムを記録したことを特徴とする請求項６８から７１のいずれか１項記載の記録媒体。
【請求項７５】
前記コンピュータに、
インターネットを利用して後日決済を行う処理を実行させるプログラムを記録したことを特徴とする請求項６８から７１のいずれか１項記載の記録媒体。
【発明の詳細な説明】
【技術分野】
【０００１】
本発明は、音楽コンテンツ販売方法、システム、配信装置、配信事業者装置、端末、プログラム、及び記録媒体に関する。
【背景技術】
【０００２】
当初、単純な着メロであった携帯電話向け音楽配信もフル楽曲配信サービスが登場しサービス開始後約１ヶ月で１００万曲を超える見通しである。
またネット音楽配信市場も、２００３年度には６億円にすぎなかったが、今後携帯音楽プレーヤーの普及によりレコード会社以外の事業参入も相次いでおり、３年後の２００８年度には約６６倍の４００億円に成長するとの見通しもある（富士キメラ総研）。
【０００３】
従来の音楽配信サービスにおいては消費者が音楽（多くの場合ＢＧＭ(Buck Ground Music)）を聴いて、その音楽コンテンツを購入したいと思った場合には、まず曲名やアーチストを調べ、さらには販売サイトを探さなければならないという問題があった。
【０００４】
これに対して、音楽コンテンツの曲情報を知るための端末装置であって、音楽コンテンツを入力するためのマイクロホンと、音楽コンテンツに埋め込まれている曲情報を検出するための埋め込み情報検出手段と、検出された曲情報を表示する表示装置と、を具備することを特徴とする端末装置が開示されている（例えば、特許文献１参照。）。
【０００５】
また、放送受信再生手段、選択入力手段、記憶手段、及び選択入力手段からの選択入力に応答して受信放送情報の入手に必要な入手要求を送信させると共に試聴用音楽データに対応する選択入力手段からの購入要求を送信させて得た販売用音楽データを上記記憶手段に記憶させる第１の制御手段を有する車両と、前記入手要求に応答して音楽データから上記試聴用音楽データを読み出して送信すると共に前記購入要求に応答して音楽データベースから上記販売用音楽データを送信する第２の制御手段を有する音楽配信センターと、から成ることを特徴とする音楽配信システムが開示されている（例えば、特許文献２参照。）。
【特許文献１】特開２００２−９１４５５号公報
【特許文献２】特開２００２−２３６４８９号公報
【発明の開示】
【発明が解決しようとする課題】
【０００６】
ところで、上述した特許文献１記載の発明は、楽曲のＩＤ（曲ＩＤ）をコンテンツに含ませ、そのＩＤを曲決定のキーとしている。このため、配信する楽曲全てにＩＤを含ませなければならず、非常な手間がかかる。
また、上述した特許文献２記載の発明は、放送時刻を楽曲決定のキーとしている。このため、放送時刻を忘れたり、間違って記憶していたり、時計が狂っていたりした場合には必要とする楽曲を得ることができない。
そこで、本発明の目的は、曲ＩＤを用いなくても放送時刻が不明でも必要とする音楽コンテンツを購入することができる音楽コンテンツ販売方法、システム、配信装置、配信事業者装置、端末、プログラム、及び記録媒体を提供することにある。
【課題を解決するための手段】
【０００７】
上記課題を解決するため、請求項１記載の発明は、インターネットを介して配信されるＢＧＭ用の音楽コンテンツをＢＧＭ利用者側の利用者施設内で放送し、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信されることを特徴とする。
【０００８】
請求項１記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【０００９】
請求項２記載の発明は、請求項１記載の発明において、前記インターネットを介して配信される音楽コンテンツを全て保存手段で保存し、選曲手段で選曲した後で前記利用者施設内で音楽を放送することを特徴とする。
【００１０】
請求項２記載の発明によれば、音楽コンテンツを全て保存手段で保存することにより、保存された全ての音楽コンテンツの中から好みの曲を選択して購入することができる。
【００１１】
請求項３記載の発明は、請求項１記載の発明において、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限することを特徴とする。
【００１２】
請求項３記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【００１３】
請求項４記載の発明は、請求項１記載の発明において、前記インターネットを介して配信される音楽コンテンツを保存せず前記利用者施設内で放送されている音楽のみ購入可能に制限することを特徴とする。
【００１４】
請求項４記載の発明によれば、音楽コンテンツを保存せず利用者施設内で放送されている音楽のみ購入可能に制限することにより、余分なデータを格納する必要がなくなり、その分だけメモリ容量を小さくすることができる。
【００１５】
請求項５記載の発明は、請求項１から４のいずれか１項記載の発明において、音楽コンテンツの購入希望者の携帯情報端末からの購入希望信号を受信する複数の音楽コンテンツ販売装置を前記利用者施設内の各客用テーブル上にそれぞれ設置することを特徴とする。
【００１６】
請求項５記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【００１７】
請求項６記載の発明は、請求項１から４のいずれか１項記載の発明において、前記音楽コンテンツの購入希望者の携帯情報端末からの購入希望信号を受信する音楽コンテンツ販売装置を前記利用者施設内の清算所に１台のみ設置し、前記利用者施設内の各客用テーブルに前記音楽コンテンツの購入希望者により購入希望音楽コンテンツの聴取時間が記入されるオーダーシートを配布し、清算時に前記オーダーシートに記入された聴取時間を前記音楽コンテンツ販売装置に入力すると、前記音楽コンテンツが前記携帯情報端末に配信されるとともに前記精算所で即時決済することを特徴とする。
【００１８】
請求項６記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【００１９】
請求項７記載の発明は、請求項１から５のいずれか１項記載の発明において、前記携帯情報端末が電子マネー内蔵型携帯情報端末であり、該電子マネー内蔵型携帯情報端末で後日接決済を行うことを特徴とする。
【００２０】
請求項７記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【００２１】
請求項８記載の発明は、請求項１から５のいずれか１項記載の発明において、前記インターネットを利用して後日決済を行うことを特徴とする。
【００２２】
請求項８記載の発明によれば、インターネットを利用して後日決済を行うことにより、購入希望者が現金の持ち合わせが無くても購入可能となるので、購入意欲を増加させることができる。
【００２３】
請求項９記載の発明は、ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えたことを特徴とする。
【００２４】
請求項９記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００２５】
請求項１０記載の発明は、ＢＧＭ配信事業者側の配信施設内に配置され、ＢＧＭ利用者側の利用者施設側へインターネットを介してＢＧＭ用の音楽コンテンツを配信するＢＧＭ配信サーバと、前記利用者施設内に配置され前記インターネットを介して配信された前記音楽コンテンツを前記利用者施設内で放送するＢＧＭ再生装置と、前記音楽コンテンツの購入希望者に所有され前記音楽コンテンツの購入希望信号を発生する携帯情報端末と、前記利用者施設内に配置され前記携帯情報端末から前記購入希望信号を受信すると前記音楽コンテンツを前記購入希望者の携帯情報端末へ配信する音楽コンテンツ販売装置とを備えたことを特徴とする。
【００２６】
請求項１０記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００２７】
請求項１１記載の発明は、請求項１０記載の発明において、前記利用者施設内に配置され前記インターネットを介して配信される音楽コンテンツを全て保存する保存手段と、  該保存手段に保存された音楽コンテンツの中から選曲した後で前記利用者施設内で音楽を放送するための選曲手段とを備えたことを特徴とする。
【００２８】
請求項１１記載の発明によれば、全て保存する保存手段と、保存手段に保存された音楽コンテンツの中から選曲した後で利用者施設内で音楽を放送するための選曲手段とを備えることにより購入希望者の選択の余地が広がり、顧客満足度の向上につながる。
【００２９】
請求項１２記載の発明は、請求項１０記載の発明において、前記インターネットを介して配信される音楽コンテンツを現在放送している音楽からｎ（１≦ｎ）曲前までのｎ＋１曲分だけ保存する保存機能を備え、前記購入希望者の希望することができる音楽コンテンツを現在放送されている音楽のｎ（１≦ｎ）曲前までに制限するようにしたことを特徴とする。
【００３０】
請求項１２記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【００３１】
請求項１３記載の発明は、請求項１０記載の発明において、前記インターネットを介して配信される音楽コンテンツを保存せず前記利用者施設内で放送されている音楽のみ購入可能に制限するようにしたことを特徴とする。
【００３２】
請求項１３記載の発明によれば、音楽コンテンツを保存せず利用者施設内で放送されている音楽のみ購入可能に制限することにより、余分なデータを格納する必要がなくなり、その分だけメモリ容量を小さくすることができる。
【００３３】
請求項１４記載の発明は、請求項１０から１３のいずれか１項記載の発明において、  前記音楽コンテンツの購入希望者の携帯情報端末からの購入希望信号を受信するための複数の音楽コンテンツ販売装置を前記利用者施設内の各客用テーブル上にそれぞれ設置するようにしたことを特徴とする。
【００３４】
請求項１４記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【００３５】
請求項１５記載の発明は、請求項１０から１３のいずれか１項記載の発明において、前記音楽コンテンツの購入希望者の携帯情報端末からの購入希望信号を受信する音楽コンテンツ販売装置を前記利用者施設内の精算所に１台のみ設置し、前記利用者施設内の各客用テーブルに配布され前記音楽コンテンツの購入希望者により購入希望音楽コンテンツの聴取時間が記入されるオーダーシートと、清算時に前記オーダーシートに記入された聴取時間が前記音楽コンテンツ販売装置に入力されると前記音楽コンテンツが前記携帯情報端末に配信されるとともに前記精算所で即時決済するようにしたことを特徴とする。
【００３６】
請求項１５記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【００３７】
請求項１６記載の発明は、請求項１０から１４のいずれか１項記載の発明において、前記携帯情報端末が電子マネー内蔵型携帯情報端末であり、該電子マネー内蔵型携帯情報端末で後日接決済を行うようにしたことを特徴とする。
【００３８】
請求項１６記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【００３９】
請求項１７記載の発明は、請求項１０から１４のいずれか１項記載の発明において、  前記インターネットを利用して後日決済を行うようにしたことを特徴とする。
【００４０】
請求項１７記載の発明によれば、インターネットを利用して後日決済を行うことにより、購入希望者が現金の持ち合わせが無くても購入可能となるので、購入意欲を増加させることができる。
【００４１】
請求項１８記載の発明は、ＢＧＭ利用者側の利用者施設内に配置されインターネットに接続するための利用者側ゲートウェイと、前記利用者側ゲートウェイに接続され前記インターネットを介してＢＧＭ用の音楽コンテンツをＢＧＭ配信事業者側から配信されると前記利用者施設内でＢＧＭ用の音楽を放送するＢＧＭ再生装置と、前記利用者施設内に配置され前記音楽コンテンツの購入希望者の携帯情報端末から前記音楽コンテンツの購入希望信号が発生されると、前記音楽コンテンツが前記購入希望者の携帯情報端末へ配信する音楽コンテンツ販売装置とを備えたことを特徴とする。
【００４２】
請求項１８記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００４３】
請求項１９記載の発明は、請求項１８記載の発明において、前記インターネットを介して配信される音楽コンテンツを全て保存する保存手段と、前記保存手段に保存された音楽コンテンツを選曲した後で前記利用者施設内で音楽を放送するための選曲手段とを備えたことを特徴とする。
【００４４】
請求項１９記載の発明によれば、全て保存する保存手段と、保存手段に保存された音楽コンテンツの中から選曲した後で利用者施設内で音楽を放送するための選曲手段とを備えることにより購入希望者の選択の余地が広がり、顧客満足度の向上につながる。
【００４５】
請求項２０記載の発明は、請求項１８記載の発明において、前記インターネットを介して配信される音楽コンテンツを現在放送している音楽からｎ（１≦ｎ）曲前までのｎ＋１曲分だけ保存する機能を備え、前記購入希望者の希望することができる音楽コンテンツを現在放送されている音楽のｎ（１≦ｎ）曲前までに制限するようにしたことを特徴とする。
【００４６】
請求項２０記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【００４７】
請求項２１記載の発明は、請求項１８記載の発明において、前記インターネットを介して配信される音楽コンテンツを保存せず前記利用者施設内で放送されている音楽のみ購入可能に制限するようにしたことを特徴とする。
【００４８】
請求項２１記載の発明によれば、音楽コンテンツを保存せず利用者施設内で放送されている音楽のみ購入可能に制限することにより、余分なデータを格納する必要がなくなり、その分だけメモリ容量を小さくすることができる。
【００４９】
請求項２２記載の発明は、請求項１８から２１のいずれか１項記載の発明において、前記音楽コンテンツの購入希望者の携帯情報端末からの購入希望信号を受信する複数の音楽コンテンツ販売装置を前記利用者施設内の各客用テーブル上にそれぞれ設置するようにしたことを特徴とする。
【００５０】
請求項２２記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【００５１】
請求項２３記載の発明は、請求項１８から２１のいずれか１項記載の発明において、  前記音楽コンテンツの購入希望者の携帯情報端末からの購入希望信号を受信する音楽コンテンツ販売装置を前記利用者施設内の精算所に１台のみ設置し、前記利用者施設内の各客用テーブルに配布され前記音楽コンテンツの購入希望者により購入希望音楽コンテンツの聴取時間が記入されるオーダーシートと、清算時に前記オーダーシートに記入された聴取時間が前記音楽コンテンツ販売装置に入力されると前記音楽コンテンツが前記携帯情報端末に配信されるとともに前記精算所で即時決済するようにしたことを特徴とする。
【００５２】
請求項２３記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【００５３】
請求項２４記載の発明は、請求項１８から２２のいずれか１項記載の発明において、  前記携帯情報端末が電子マネー内蔵型携帯情報端末であり、該電子マネー内蔵型携帯情報端末で後日接決済を行うようにしたことを特徴とする。
【００５４】
請求項２４記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【００５５】
請求項２５記載の発明は、請求項１８から２２のいずれか１項記載の発明において、前記インターネットを利用して後日決済を行うようにしたことを特徴とする。
【００５６】
請求項２５記載の発明によれば、インターネットを利用して後日決済を行うことにより、購入希望者が現金の持ち合わせが無くても購入可能となるので、購入意欲を増加させることができる。
【００５７】
請求項２６記載の発明は、ＢＧＭ配信事業者側の配信施設内に配置されインターネットに接続するための配信側ゲートウェイと、前記配信側ゲートウェイに接続され前記インターネットを介してＢＧＭ用の音楽コンテンツをＢＧＭ利用者側へ配信するＢＧＭ配信サーバーと、前記ＢＧＭ配信サーバーに接続され音楽コンテンツを格納する楽曲データベースとを備えたことを特徴とする。
【００５８】
請求項２６記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００５９】
請求項２７記載の発明は、インターネットを介してＢＧＭ配信事業者装置から配信された音楽コンテンツを放送するＢＧＭ利用者側の利用者施設内で、前記音楽コンテンツの購入希望信号を発生すると、前記音楽コンテンツが配信されることを特徴とする。
【００６０】
請求項２７記載の発明によれば、音楽コンテンツの購入希望信号を発生するだけで曲名やアーティストが不明であっても所望の音楽コンテンツを購入することができる。
【００６１】
請求項２８記載の発明は、ＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける前記ＢＧＭ配信装置のコンピュータに、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させることを特徴とする。
【００６２】
請求項２８記載の発明によれば、、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００６３】
請求項２９記載の発明は、請求項２８記載の発明において、前記コンピュータに、前記インターネットを介して配信される音楽コンテンツを全て保存手段で保存し、選曲手段で選曲した後で前記利用者施設内で音楽を放送する処理を実行させることを特徴とする。
【００６４】
請求項２９記載の発明によれば、音楽コンテンツを全て保存手段で保存することにより、保存された全ての音楽コンテンツの中から好みの曲を選択して購入することができる。
【００６５】
請求項３０記載の発明は、請求項２８記載の発明において、前記コンピュータに、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させることを特徴とする。
【００６６】
請求項３０記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【００６７】
請求項３１記載の発明は、請求項２８記載の発明において、前記コンピュータに、前記インターネットを介して配信される音楽コンテンツを保存せず前記利用者施設内で放送されている音楽のみ購入可能に制限する処理を実行させることを特徴とする。
【００６８】
請求項３１記載の発明によれば、音楽コンテンツを保存せず利用者施設内で放送されている音楽のみ購入可能に制限することにより、余分なデータを格納する必要がなくなり、その分だけメモリ容量を小さくすることができる。
【００６９】
請求項３２記載の発明は、請求項２８から３１のいずれか１項記載の発明において、前記コンピュータに、前記利用者施設内の各客用テーブル上にそれぞれ設置される複数の音楽コンテンツ販売装置が音楽コンテンツの購入希望者の携帯情報端末からの購入希望信号を受信する処理を実行させることを特徴とする。
【００７０】
請求項３２記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【００７１】
請求項３３記載の発明は、請求項２８から３１のいずれか１項記載の発明において、前記コンピュータに、前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させることを特徴とする。
【００７２】
請求項３３記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【００７３】
請求項３４記載の発明は、請求項２８から３１のいずれか１項記載の発明において、  携帯情報端末が電子マネー内蔵型携帯情報端末の場合、前記コンピュータに、前記電子マネー内蔵型携帯情報端末で後日接決済を行う処理を実行させることを特徴とする。
【００７４】
請求項３４記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【００７５】
請求項３５記載の発明は、請求項２８から３１のいずれか１項記載の発明において、前記コンピュータに、インターネットを利用して後日決済を行う処理を実行させることを特徴とする。
【００７６】
請求項３５記載の発明によれば、インターネットを利用して後日決済を行うことにより、購入希望者が現金の持ち合わせが無くても購入可能となるので、購入意欲を増加させることができる。
【００７７】
請求項３６記載の発明は、インターネットを介して配信されるＢＧＭ用の音楽コンテンツをＢＧＭ利用者側の利用者施設内で放送するＢＧＭ配信装置のコンピュータに、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させるプログラムを記録したことを特徴とする。
【００７８】
請求項３６記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００７９】
請求項３７記載の発明は、請求項３６記載の発明において、前記コンピュータに、前記インターネットを介して配信される音楽コンテンツを全て保存手段で保存し、選曲手段で選曲した後で前記利用者施設内で音楽を放送する処理を実行させるプログラムを記録したことを特徴とする。
【００８０】
請求項３７記載の発明によれば、音楽コンテンツを全て保存手段で保存することにより、保存された全ての音楽コンテンツの中から好みの曲を選択して購入することができる。
【００８１】
請求項３８記載の発明は、請求項３６記載の発明において、前記コンピュータに、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させるプログラムを記録したことを特徴とする。
【００８２】
請求項３８記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【００８３】
請求項３９記載の発明は、請求項３６記載の発明において、前記コンピュータに、前記インターネットを介して配信される音楽コンテンツを保存せず前記利用者施設内で放送されている音楽のみ購入可能に制限する処理を実行させるプログラムを記録したことを特徴とする。
【００８４】
請求項３９記載の発明によれば、音楽コンテンツを保存せず利用者施設内で放送されている音楽のみ購入可能に制限することにより、余分なデータを格納する必要がなくなり、その分だけメモリ容量を小さくすることができる。
【００８５】
請求項４０記載の発明は、請求項３６から３９のいずれか１項記載の発明において、前記コンピュータに、前記利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録したことを特徴とする。
【００８６】
請求項４０記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【００８７】
請求項４１記載の発明は、請求項３６から３９のいずれか１項記載の発明において、前記コンピュータに、前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させるプログラムを記録したことを特徴とする。
【００８８】
請求項４１記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【００８９】
請求項４２記載の発明は、請求項３６から３９のいずれか１項記載の発明において、携帯情報端末が電子マネー内蔵型携帯情報端末の場合、前記コンピュータに、前記電子マネー内蔵型携帯情報端末で後日接決済を行う処理を実行させるプログラムを記録したことを特徴とする。
【００９０】
請求項４２記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【００９１】
請求項４３記載の発明は、請求項３６から３９のいずれか１項記載の発明において、前記コンピュータに、インターネットを利用して後日決済を行う処理を実行させるプログラムを記録したことを特徴とする。
【００９２】
請求項４３記載の発明によれば、インターネットを利用して後日決済を行うことにより、購入希望者が現金の持ち合わせが無くても購入可能となるので、購入意欲を増加させることができる。
【００９３】
請求項４４記載の発明は、ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける前記ＢＧＭ配信事業者装置のコンピュータに、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させることを特徴とする。
【００９４】
請求項４４記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【００９５】
請求項４５記載の発明は、請求項４４記載の発明において、前記コンピュータに、前記インターネットを介して配信される音楽コンテンツを全て保存手段で保存し、選曲手段で選曲した後で前記利用者施設内で音楽を放送する処理を実行させることを特徴とする。
【００９６】
請求項４５記載の発明によれば、音楽コンテンツを全て保存手段で保存することにより、保存された全ての音楽コンテンツの中から好みの曲を選択して購入することができる。
【００９７】
請求項４６記載の発明は、請求項４４記載の発明において、前記コンピュータに、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させることを特徴とする。
【００９８】
請求項４６記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【００９９】
請求項４７記載の発明は、請求項４４記載の発明において、前記コンピュータに、前記インターネットを介して配信される音楽コンテンツを保存せず前記利用者施設内で放送されている音楽のみ購入可能に制限する処理を実行させることを特徴とする。
【０１００】
請求項４７記載の発明によれば、音楽コンテンツを保存せず利用者施設内で放送されている音楽のみ購入可能に制限することにより、余分なデータを格納する必要がなくなり、その分だけメモリ容量を小さくすることができる。
【０１０１】
請求項４８記載の発明は、請求項４４から４７のいずれか１項記載の発明において、前記コンピュータに、前記利用者施設内の各客用テーブル上にそれぞれ設置される複数の音楽コンテンツ販売装置が音楽コンテンツの購入希望者の携帯情報端末からの購入希望信号を受信する処理を実行させることを特徴とする。
【０１０２】
請求項４８記載の発明によれば、音楽コンテンツを保存せず利用者施設内で放送されている音楽のみ購入可能に制限することにより、余分なデータを格納する必要がなくなり、その分だけメモリ容量を小さくすることができる。
【０１０３】
請求項４９記載の発明は、請求項４４から４７のいずれか１項記載の発明において、前記コンピュータに、前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させることを特徴とする。
【０１０４】
請求項４９記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【０１０５】
請求項５０記載の発明は、請求項４４から４７のいずれか１項記載の発明において、携帯情報端末が電子マネー内蔵型携帯情報端末の場合、前記コンピュータに、前記電子マネー内蔵型携帯情報端末で後日接決済を行う処理を実行させることを特徴とする。
【０１０６】
請求項５０記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【０１０７】
請求項５１記載の発明は、請求項４４から４７のいずれか１項記載の発明において、前記コンピュータに、インターネットを利用して後日決済を行う処理を実行させることを特徴とする。
【０１０８】
請求項５１記載の発明によれば、インターネットを利用して後日決済を行うことにより、購入希望者が現金の持ち合わせが無くても購入可能となるので、購入意欲を増加させることができる。
【０１０９】
請求項５２記載の発明は、ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおけるＢＧＭ配信装置のコンピュータに、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させるプログラムを記録したことを特徴とする。
【０１１０】
請求項５２記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【０１１１】
請求項５３記載の発明は、請求項５２記載の発明において、前記コンピュータに、前記インターネットを介して配信される音楽コンテンツを全て保存手段で保存し、選曲手段で選曲した後で前記利用者施設内で音楽を放送する処理を実行させるプログラムを記録したことを特徴とする。
【０１１２】
請求項５３記載の発明によれば、音楽コンテンツを全て保存手段で保存することにより、保存された全ての音楽コンテンツの中から好みの曲を選択して購入することができる。
【０１１３】
請求項５４記載の発明は、請求項５２記載の発明において、前記コンピュータに、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させるプログラムを記録したことを特徴とする。
【０１１４】
請求項５５記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【０１１５】
請求項５５記載の発明は、請求項５２記載の発明において、前記コンピュータに、前記インターネットを介して配信される音楽コンテンツを保存せず前記利用者施設内で放送されている音楽のみ購入可能に制限する処理を実行させるプログラムを記録したことを特徴とする。
【０１１６】
請求項５５記載の発明によれば、音楽コンテンツを保存せず利用者施設内で放送されている音楽のみ購入可能に制限することにより、余分なデータを格納する必要がなくなり、その分だけメモリ容量を小さくすることができる。
【０１１７】
請求項５６記載の発明は、請求項５２から５５のいずれか１項記載の発明において、前記コンピュータに、前記利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録したことを特徴とする。
【０１１８】
請求項５６記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【０１１９】
請求項５７記載の発明は、請求項５２から５３のいずれか１項記載の発明は、前記コンピュータに、前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させるプログラムを記録したことを特徴とする。
【０１２０】
請求項５７記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【０１２１】
請求項５８記載の発明は、請求項５２から５５のいずれか１項記載の発明において、携帯情報端末が電子マネー内蔵型携帯情報端末の場合、前記コンピュータに、前記電子マネー内蔵型携帯情報端末で後日接決済を行う処理を実行させるプログラムを記録したことを特徴とする。
【０１２２】
請求項５８記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【０１２３】
請求項５９記載の発明は、請求項５２から５５のいずれか１項記載の発明において、前記コンピュータに、インターネットを利用して後日決済を行う処理を実行させるプログラムを記録したことを特徴とする。
【０１２４】
請求項５９記載の発明によれば、インターネットを利用して後日決済を行うことにより、購入希望者が現金の持ち合わせが無くても購入可能となるので、購入意欲を増加させることができる。
【０１２５】
請求項６０記載の発明は、ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける前記携帯情報端末のコンピュータに、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させることを特徴とする。
【０１２６】
請求項６０記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【０１２７】
請求項６１記載の発明は、請求項６０記載の発明において、前記コンピュータに、前記インターネットを介して配信される音楽コンテンツを全て保存手段で保存し、選曲手段で選曲した後で前記利用者施設内で音楽を放送する処理を実行させることを特徴とする。
【０１２８】
請求項６１記載の発明によれば、音楽コンテンツを全て保存手段で保存することにより、保存された全ての音楽コンテンツの中から好みの曲を選択して購入することができる。
【０１２９】
請求項６２記載の発明は、請求項６０記載の発明において、前記コンピュータに、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させることを特徴とする。
【０１３０】
請求項６２記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【０１３１】
請求項６３記載の発明は、請求項６０記載の発明において、前記コンピュータに、前記インターネットを介して配信される音楽コンテンツを保存せず前記利用者施設内で放送されている音楽のみ購入可能に制限する処理を実行させることを特徴とする。
【０１３２】
請求項６３記載の発明によれば、音楽コンテンツを保存せず利用者施設内で放送されている音楽のみ購入可能に制限することにより、余分なデータを格納する必要がなくなり、その分だけメモリ容量を小さくすることができる。
【０１３３】
請求項６４記載の発明は、請求項６０から６３のいずれか１項記載の発明において、前記コンピュータに、前記利用者施設内の各客用テーブル上にそれぞれ設置される複数の音楽コンテンツ販売装置が音楽コンテンツの購入希望者の携帯情報端末からの購入希望信号を受信する処理を実行させることを特徴とする。
【０１３４】
請求項６４記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【０１３５】
請求項６５記載の発明は、請求項６０から６３のいずれか１項記載の発明において、前記コンピュータに、前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させることを特徴とする。
【０１３６】
請求項６５記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【０１３７】
請求項６６記載の発明は、請求項６０から６３のいずれか１項記載の発明において、携帯情報端末が電子マネー内蔵型携帯情報端末の場合、前記コンピュータに、前記電子マネー内蔵型携帯情報端末で後日接決済を行う処理を実行させることを特徴とする。
【０１３８】
請求項６６記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【０１３９】
請求項６７記載の発明は、請求項６０から６３のいずれか１項記載の発明において、前記コンピュータに、インターネットを利用して後日決済を行う処理を実行させることを特徴とする。
【０１４０】
請求項６７記載の発明によれば、インターネットを利用して後日決済を行うことにより、購入希望者が現金の持ち合わせが無くても購入可能となるので、購入意欲を増加させることができる。
【０１４１】
請求項６８記載の発明は、ＢＧＭ用の音楽コンテンツを配信するためのＢＧＭ配信事業者装置と、インターネットを介して前記ＢＧＭ配信事業者装置から配信された音楽コンテンツを放送し、その音楽コンテンツの購入希望者の携帯情報端末から前記音楽コンテンツの購入希望信号が発生されると、前記音楽コンテンツが前記購入希望者の携帯情報端末へ配信するＢＧＭ配信装置とを備えた音楽コンテンツ販売システムにおける携帯情報端末のコンピュータに、その音楽コンテンツの購入希望者の携帯情報端末から前記音楽コンテンツの購入希望信号が発生されると、前記利用者施設内に配置された音楽コンテンツ販売装置から前記音楽コンテンツが前記購入希望者の携帯情報端末へ配信される処理を実行させるプログラムを記録したことを特徴とする。
【０１４２】
請求項６８記載の発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【０１４３】
請求項６９記載の発明は、請求項６８記載の発明において、前記コンピュータに、前記インターネットを介して配信される音楽コンテンツを全て保存手段で保存し、選曲手段で選曲した後で前記利用者施設内で音楽を放送する処理を実行させるプログラムを記録したことを特徴とする。
【０１４４】
請求項６９記載の発明によれば、音楽コンテンツを全て保存手段で保存することにより、保存された全ての音楽コンテンツの中から好みの曲を選択して購入することができる。
【０１４５】
請求項７０記載の発明は、請求項６８記載の発明において、前記コンピュータに、前記インターネットを介して配信される音楽コンテンツを現在放送している音楽からｎ（１≦ｎ）曲前までのｎ＋１曲分だけ保存すると共に前記購入希望者の希望することができる音楽コンテンツを、現在放送されている音楽のｎ（１≦ｎ）曲前までに制限する処理を実行させるプログラムを記録したことを特徴とする。
【０１４６】
請求項７０記載の発明によれば、現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限することにより、曲名やアーティスト名が不明であってもすぐに音楽コンテンツを購入することができる。また、音楽コンテンツを、現在放送されている音楽のｎ（１≦ｎ）曲前までに制限することにより、余分なデータを格納する必要がなくなり、その分だけメモリ容量を小さくすることができる。
【０１４７】
請求項７１記載の発明は、請求項６８記載の発明において、前記コンピュータに、前記インターネットを介して配信される音楽コンテンツを保存せず前記利用者施設内で放送されている音楽のみ購入可能に制限する処理を実行させるプログラムを記録したことを特徴とする。
【０１４８】
請求項７１記載の発明によれば、音楽コンテンツを保存せず利用者施設内で放送されている音楽のみ購入可能に制限することにより、余分なデータを格納する必要がなくなり、その分だけメモリ容量を小さくすることができる。
【０１４９】
請求項７２記載の発明は、請求項６８から７１のいずれか１項記載の発明において、前記コンピュータに、前記利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録したことを特徴とする。
【０１５０】
請求項７２記載の発明によれば、複数の音楽コンテンツ販売装置を利用者施設内の各客用テーブル上にそれぞれ設置することにより、購入希望者が音楽コンテンツに興味を抱いた時点ですぐに購入行為へと誘導することができる。
【０１５１】
請求項７３記載の発明は、請求項６８から７１のいずれか１項記載の発明において、前記コンピュータに、前記利用者施設内の清算所に１台のみ設置され音楽コンテンツの購入希望者の携帯情報端末からの購入希望信号を受信する音楽コンテンツ販売装置が前記利用者施設内の各客用テーブルに前記音楽コンテンツの購入希望者により購入希望音楽コンテンツの聴取時間が記入されるオーダーシートに記入された聴取時間を前記音楽コンテンツ販売装置に入力すると、前記音楽コンテンツが前記携帯情報端末に配信されるとともに前記精算所で即時決済する処理を実行させるプログラムを記録したことを特徴とする。
【０１５２】
請求項７３記載の発明によれば、音楽コンテンツ販売装置の設置コストが低減されるだけでなく、音楽コンテンツ販売代金を利用者施設で消費したものの代金と合算して請求できるため、携帯情報端末での決済に躊躇する購入希望者に対しても販売機会を得ることができる。
【０１５３】
請求項７４記載の発明は、請求項６８から７１のいずれか１項記載の発明において、携帯情報端末が電子マネー内蔵型携帯情報端末の場合、前記コンピュータに、前記電子マネー内蔵型携帯情報端末で後日接決済を行う処理を実行させるプログラムを記録したことを特徴とする。
【０１５４】
請求項７４記載の発明によれば、携帯情報端末が電子マネー内蔵型携帯情報端末であり、電子マネー内蔵型携帯情報端末で後日接決済を行うことにより、購入希望者が現金の持ち合わせが無くても購入可能となるので、購入意欲を増加させることができる。
【０１５５】
請求項７５記載の発明は、請求項６８から７１のいずれか１項記載の発明において、前記コンピュータに、インターネットを利用して後日決済を行う処理を実行させるプログラムを記録したことを特徴とする。
【０１５６】
請求項７５記載の発明によれば、インターネットを利用して後日決済を行うことにより、購入希望者が現金の持ち合わせが無くても購入可能となるので、購入意欲を増加させることができる。
【発明の効果】
【０１５７】
本発明によれば、音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されるので、曲ＩＤを用いなくても放送時刻が不明でも、曲名やアーティスト名が不明であっても必要とする音楽コンテンツをすぐに購入することができる。また、購入希望者に対するサービス提供による集客効果及びコンテンツ配信事業者からの売り上げに応じた成功報酬が得られる。
【発明を実施するための最良の形態】
【０１５８】
〔特  徴〕
本実施形態は、消費者がレストラン等でBGMを聞いたときにその場で音楽コンテンツを購入する手段を提供するものである。
〔実施形態〕
本実施形態の音楽コンテンツ販売方法は、インターネットを介して配信されるＢＧＭ用の音楽コンテンツをＢＧＭ利用者側の利用者施設内で放送し、その音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信されることを特徴とする。
【０１５９】
本実施形態の音楽コンテンツ販売方法は、上記構成に加え、インターネットを介して配信される音楽コンテンツを全て保存手段で保存し、選曲手段で選曲した後で利用者施設内で音楽を放送するようにしてもよく、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限するようにしてもよい。
【０１６０】
本実施形態の音楽コンテンツ販売方法は、上記構成に加え、インターネットを介して配信される音楽コンテンツを保存せず利用者施設内で放送されている音楽のみ購入可能に制限するようにしてもよく、音楽コンテンツの購入希望者の携帯情報端末からの購入希望信号を受信する複数の音楽コンテンツ販売装置を利用者施設内の各客用テーブル上にそれぞれ設置してもよい。
【０１６１】
本実施形態の音楽コンテンツ販売方法は、上記構成に加え、音楽コンテンツの購入希望者の携帯情報端末からの購入希望信号を受信する音楽コンテンツ販売装置を利用者施設内の清算所に１台のみ設置し、利用者施設内の各客用テーブルに音楽コンテンツの購入希望者により購入希望音楽コンテンツの聴取時間が記入されるオーダーシートを配布し、清算時にオーダーシートに記入された聴取時間を音楽コンテンツ販売装置に入力すると、音楽コンテンツが携帯情報端末に配信されるとともに精算所で即時決済するようしてもよく、携帯情報端末が電子マネー内蔵型携帯情報端末であり、電子マネー内蔵型携帯情報端末で後日接決済を行うようにしてもよく、インターネットを利用して後日決済を行うようにしてもよい。
【０１６２】
本実施形態の音楽コンテンツ販売システムは、ＢＧＭ用の音楽コンテンツを配信するためのＢＧＭ配信事業者装置と、インターネットを介してＢＧＭ配信事業者装置から配信された音楽コンテンツを放送し、その音楽コンテンツの購入希望者の携帯情報端末から音楽コンテンツの購入希望信号が発生されると、音楽コンテンツが購入希望者の携帯情報端末へ配信するＢＧＭ配信装置とを備えたことを特徴とする。
【０１６３】
本実施形態の音楽コンテンツ販売システムは、ＢＧＭ配信事業者側の配信施設内に配置され、ＢＧＭ利用者側の利用者施設側へインターネットを介してＢＧＭ用の音楽コンテンツを配信するＢＧＭ配信サーバと、利用者施設内に配置されインターネットを介して配信された音楽コンテンツを利用者施設内で放送するＢＧＭ再生装置と、音楽コンテンツの購入希望者に所有され音楽コンテンツの購入希望信号を発生する携帯情報端末と、利用者施設内に配置され携帯情報端末から購入希望信号を受信すると音楽コンテンツを購入希望者の携帯情報端末へ配信する音楽コンテンツ販売装置とを備えたことを特徴とする。
【０１６４】
本実施形態の音楽コンテンツ販売システムは、上記構成に加え、利用者施設内に配置されインターネットを介して配信される音楽コンテンツを全て保存する保存手段と、保存手段に保存された音楽コンテンツの中から選曲した後で利用者施設内で音楽を放送するための選曲手段とを備えてもよく、インターネットを介して配信される音楽コンテンツを現在放送している音楽からｎ（１≦ｎ）曲前までのｎ＋１曲分だけ保存する保存機能を備え、購入希望者の希望することができる音楽コンテンツを現在放送されている音楽のｎ（１≦ｎ）曲前までに制限するようにしてもよい。
【０１６５】
本実施形態の音楽コンテンツ販売システムは、上記構成に加え、インターネットを介して配信される音楽コンテンツを保存せず利用者施設内で放送されている音楽のみ購入可能に制限するようにしてもよく、音楽コンテンツの購入希望者の携帯情報端末からの購入希望信号を受信するための複数の音楽コンテンツ販売装置を利用者施設内の各客用テーブル上にそれぞれ設置するようにしてもよい。
【０１６６】
本実施形態の音楽コンテンツ販売システムは、上記構成に加え、音楽コンテンツの購入希望者の携帯情報端末からの購入希望信号を受信する音楽コンテンツ販売装置を利用者施設内の精算所に１台のみ設置し、利用者施設内の各客用テーブルに配布され音楽コンテンツの購入希望者により購入希望音楽コンテンツの聴取時間が記入されるオーダーシートと、清算時にオーダーシートに記入された聴取時間が音楽コンテンツ販売装置に入力されると音楽コンテンツが携帯情報端末に配信されるとともに精算所で即時決済するようにしてもよく、携帯情報端末が電子マネー内蔵型携帯情報端末であり、電子マネー内蔵型携帯情報端末で後日接決済を行うようにしてもよく、インターネットを利用して後日決済を行うようにしてもよい。
【０１６７】
本実施形態のＢＧＭ配信装置は、ＢＧＭ利用者側の利用者施設内に配置されインターネットに接続するための利用者側ゲートウェイと、利用者側ゲートウェイに接続されインターネットを介してＢＧＭ用の音楽コンテンツをＢＧＭ配信事業者側から配信されると利用者施設内でＢＧＭ用の音楽を放送するＢＧＭ再生装置と、利用者施設内に配置され音楽コンテンツの購入希望者の携帯情報端末から音楽コンテンツの購入希望信号が発生されると、音楽コンテンツが購入希望者の携帯情報端末へ配信する音楽コンテンツ販売装置とを備えたことを特徴とする。
【０１６８】
本実施形態のＢＧＭ配信装置は、上記構成に加え、インターネットを介して配信される音楽コンテンツを全て保存する保存手段と、保存手段に保存された音楽コンテンツを選曲した後で利用者施設内で音楽を放送するための選曲手段とを備えてもよく、インターネットを介して配信される音楽コンテンツを現在放送している音楽からｎ（１≦ｎ）曲前までのｎ＋１曲分だけ保存する機能を備え、購入希望者の希望することができる音楽コンテンツを現在放送されている音楽のｎ（１≦ｎ）曲前までに制限するようにしてもよい。
【０１６９】
本実施形態のＢＧＭ配信装置は、上記構成に加え、インターネットを介して配信される音楽コンテンツを保存せず利用者施設内で放送されている音楽のみ購入可能に制限するようにしてもよく、音楽コンテンツの購入希望者の携帯情報端末からの購入希望信号を受信する複数の音楽コンテンツ販売装置を利用者施設内の各客用テーブル上にそれぞれ設置するようにしてもよい。
【０１７０】
本実施形態のＢＧＭ配信装置は、上記構成に加え、音楽コンテンツの購入希望者の携帯情報端末からの購入希望信号を受信する音楽コンテンツ販売装置を利用者施設内の精算所に１台のみ設置し、利用者施設内の各客用テーブルに配布され音楽コンテンツの購入希望者により購入希望音楽コンテンツの聴取時間が記入されるオーダーシートと、清算時に前記オーダーシートに記入された聴取時間が前記音楽コンテンツ販売装置に入力されると音楽コンテンツが携帯情報端末に配信されるとともに精算所で即時決済するようにしてもよい。
【０１７１】
本実施形態のＢＧＭ配信装置は、上記構成に加え、携帯情報端末が電子マネー内蔵型携帯情報端末であり、電子マネー内蔵型携帯情報端末で後日接決済を行うようにしてもよく、インターネットを利用して後日決済を行うようにしてもよい。
【０１７２】
本実施形態のＢＧＭ配信事業者装置は、ＢＧＭ配信事業者側の配信施設内に配置されインターネットに接続するための配信側ゲートウェイと、配信側ゲートウェイに接続されインターネットを介してＢＧＭ用の音楽コンテンツをＢＧＭ利用者側へ配信するＢＧＭ配信サーバーと、ＢＧＭ配信サーバーに接続され音楽コンテンツを格納する楽曲データベースとを備えたことを特徴とする。
【０１７３】
本実施形態の携帯情報端末は、インターネットを介してＢＧＭ配信事業者装置から配信された音楽コンテンツを放送するＢＧＭ利用者側の利用者施設内で、音楽コンテンツの購入希望信号を発生すると、音楽コンテンツが配信されることを特徴とする。
【０１７４】
本実施形態の音楽コンテンツ販売プログラムは、ＢＧＭ用の音楽コンテンツを配信するためのＢＧＭ配信事業者装置と、インターネットを介してＢＧＭ配信事業者装置から配信された音楽コンテンツを放送し、その音楽コンテンツの購入希望者の携帯情報端末から音楽コンテンツの購入希望信号が発生されると、音楽コンテンツが購入希望者の携帯情報端末へ配信するＢＧＭ配信装置とを備えた音楽コンテンツ販売システムにおけるＢＧＭ配信装置のコンピュータに、その音楽コンテンツの購入希望者の携帯情報端末から前記音楽コンテンツの購入希望信号が発生されると、利用者施設内に配置された音楽コンテンツ販売装置から音楽コンテンツが購入希望者の携帯情報端末へ配信される処理を実行させることを特徴とする。
【０１７５】
本実施形態の音楽コンテンツ販売プログラムは、上記構成に加え、コンピュータに、インターネットを介して配信される音楽コンテンツを全て保存手段で保存し、選曲手段で選曲した後で利用者施設内で音楽を放送する処理を実行させるようにしてもよく、コンピュータに、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限する処理を実行させるようにしてもよい。
【０１７６】
本実施形態の音楽コンテンツ販売プログラムは、上記構成に加え、コンピュータに、インターネットを介して配信される音楽コンテンツを保存せず利用者施設内で放送されている音楽のみ購入可能に制限する処理を実行させるようにしてもよく、コンピュータに、利用者施設内の各客用テーブル上にそれぞれ設置される複数の音楽コンテンツ販売装置が音楽コンテンツの購入希望者の携帯情報端末からの購入希望信号を受信する処理を実行させるようにしてもよい。
【０１７７】
本実施形態の音楽コンテンツ販売プログラムは、上記構成に加え、コンピュータに、利用者施設内の清算所に１台のみ設置され音楽コンテンツの購入希望者の携帯情報端末からの購入希望信号を受信する音楽コンテンツ販売装置が利用者施設内の各客用テーブルに音楽コンテンツの購入希望者により購入希望音楽コンテンツの聴取時間が記入されるオーダーシートに記入された聴取時間を音楽コンテンツ販売装置に入力すると、音楽コンテンツが携帯情報端末に配信されるとともに精算所で即時決済する処理を実行させるようにしてもよく、携帯情報端末が電子マネー内蔵型携帯情報端末の場合、コンピュータに、電子マネー内蔵型携帯情報端末で後日接決済を行う処理を実行させるようにしてもよく、コンピュータに、インターネットを利用して後日決済を行う処理を実行させるようにしてもよい。
【０１７８】
本実施形態の記録媒体は、インターネットを介して配信されるＢＧＭ用の音楽コンテンツをＢＧＭ利用者側の利用者施設内で放送するＢＧＭ配信装置のコンピュータに、その音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信される処理を実行させるプログラムを記録したことを特徴とする。
【０１７９】
本実施形態の記録媒体は、上記構成に加え、コンピュータに、インターネットを介して配信される音楽コンテンツを全て保存手段で保存し、選曲手段で選曲した後で利用者施設内で音楽を放送する処理を実行させるプログラムを記録してもよく、コンピュータに、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限する処理を実行させるプログラムを記録してもよい。
【０１８０】
本実施形態の記録媒体は、上記構成に加え、コンピュータに、インターネットを介して配信される音楽コンテンツを保存せず利用者施設内で放送されている音楽のみ購入可能に制限する処理を実行させるプログラムを記録してもよく、コンピュータに、利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録してもよい。
【０１８１】
本実施形態の記録媒体は、上記構成に加え、コンピュータに、利用者施設内の清算所に１台のみ設置され音楽コンテンツの購入希望者の携帯情報端末からの購入希望信号を受信する音楽コンテンツ販売装置が利用者施設内の各客用テーブルに音楽コンテンツの購入希望者により購入希望音楽コンテンツの聴取時間が記入されるオーダーシートに記入された聴取時間を音楽コンテンツ販売装置に入力すると、音楽コンテンツが携帯情報端末に配信されるとともに精算所で即時決済する処理を実行させるプログラムを記録してもよく、携帯情報端末が電子マネー内蔵型携帯情報端末の場合、コンピュータに、電子マネー内蔵型携帯情報端末で後日接決済を行う処理を実行させるプログラムを記録してもよく、コンピュータに、インターネットを利用して後日決済を行う処理を実行させてもよい。
【０１８２】
本実施形態の音楽コンテンツ販売プログラムは、ＢＧＭ用の音楽コンテンツを配信するためのＢＧＭ配信事業者装置と、インターネットを介してＢＧＭ配信事業者装置から配信された音楽コンテンツを放送し、その音楽コンテンツの購入希望者の携帯情報端末から音楽コンテンツの購入希望信号が発生されると、音楽コンテンツが購入希望者の携帯情報端末へ配信するＢＧＭ配信装置とを備えた音楽コンテンツ販売システムにおけるＢＧＭ配信事業者装置のコンピュータに、その音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信される処理を実行させることを特徴とする。
【０１８３】
本実施形態の音楽コンテンツ販売プログラムは、上記構成に加え、コンピュータに、インターネットを介して配信される音楽コンテンツを全て保存手段で保存し、選曲手段で選曲した後で利用者施設内で音楽を放送する処理を実行させるようにしてもよく、コンピュータに、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限する処理を実行させるようにしてもよい。
【０１８４】
本実施形態の音楽コンテンツ販売プログラムは、上記構成に加え、コンピュータに、インターネットを介して配信される音楽コンテンツを保存せず利用者施設内で放送されている音楽のみ購入可能に制限する処理を実行させるようにしてもよく、コンピュータに、利用者施設内の各客用テーブル上にそれぞれ設置される複数の音楽コンテンツ販売装置が音楽コンテンツの購入希望者の携帯情報端末からの購入希望信号を受信する処理を実行させるようにしてもよく、コンピュータに、利用者施設内の清算所に１台のみ設置され音楽コンテンツの購入希望者の携帯情報端末からの購入希望信号を受信する音楽コンテンツ販売装置が利用者施設内の各客用テーブルに音楽コンテンツの購入希望者により購入希望音楽コンテンツの聴取時間が記入されるオーダーシートに記入された聴取時間を音楽コンテンツ販売装置に入力すると、音楽コンテンツが携帯情報端末に配信されるとともに精算所で即時決済する処理を実行させるようにしてもよい。
【０１８５】
本実施形態の音楽コンテンツ販売プログラムは、上記構成に加え、携帯情報端末が電子マネー内蔵型携帯情報端末の場合、コンピュータに、電子マネー内蔵型携帯情報端末で後日接決済を行う処理を実行させるようにしてもよく、コンピュータに、インターネットを利用して後日決済を行う処理を実行させるようにしてもよい。
【０１８６】
本実施形態の記録媒体は、ＢＧＭ用の音楽コンテンツを配信するためのＢＧＭ配信事業者装置と、インターネットを介してＢＧＭ配信事業者装置から配信された音楽コンテンツを放送し、その音楽コンテンツの購入希望者の携帯情報端末から音楽コンテンツの購入希望信号が発生されると、音楽コンテンツが購入希望者の携帯情報端末へ配信するＢＧＭ配信装置とを備えた音楽コンテンツ販売システムにおけるＢＧＭ配信装置のコンピュータに、その音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信される処理を実行させるプログラムを記録したことを特徴とする。
【０１８７】
本実施形態の記録媒体は、上記構成に加え、コンピュータに、インターネットを介して配信される音楽コンテンツを全て保存手段で保存し、選曲手段で選曲した後で利用者施設内で音楽を放送する処理を実行させるプログラムを記録してもよく、コンピュータに、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限する処理を実行させるプログラムを記録してもよい。
【０１８８】
本実施形態の記録媒体は、上記構成に加え、コンピュータに、インターネットを介して配信される音楽コンテンツを保存せず利用者施設内で放送されている音楽のみ購入可能に制限する処理を実行させるプログラムを記録してもよく、コンピュータに、利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録してもよい。
【０１８９】
本実施形態の記録媒体は、上記構成に加え、コンピュータに、利用者施設内の清算所に１台のみ設置され音楽コンテンツの購入希望者の携帯情報端末からの購入希望信号を受信する音楽コンテンツ販売装置が利用者施設内の各客用テーブルに音楽コンテンツの購入希望者により購入希望音楽コンテンツの聴取時間が記入されるオーダーシートに記入された聴取時間を音楽コンテンツ販売装置に入力すると、音楽コンテンツが携帯情報端末に配信されるとともに精算所で即時決済する処理を実行させるプログラムを記録してもよく、携帯情報端末が電子マネー内蔵型携帯情報端末の場合、コンピュータに、電子マネー内蔵型携帯情報端末で後日接決済を行う処理を実行させるプログラムを記録してもよく、コンピュータに、インターネットを利用して後日決済を行う処理を実行させるプログラムを記録してもよい。
【０１９０】
本実施形態の音楽コンテンツ販売プログラムは、ＢＧＭ用の音楽コンテンツを配信するためのＢＧＭ配信事業者装置と、インターネットを介してＢＧＭ配信事業者装置から配信された音楽コンテンツを放送し、その音楽コンテンツの購入希望者の携帯情報端末から音楽コンテンツの購入希望信号が発生されると、音楽コンテンツが購入希望者の携帯情報端末へ配信するＢＧＭ配信装置とを備えた音楽コンテンツ販売システムにおける携帯情報端末のコンピュータに、その音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信される処理を実行させることを特徴とする。
【０１９１】
本実施形態の音楽コンテンツ販売プログラムは、上記構成に加え、コンピュータに、インターネットを介して配信される音楽コンテンツを全て保存手段で保存し、選曲手段で選曲した後で利用者施設内で音楽を放送する処理を実行させるようにしてもよく、記コンピュータに、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限する処理を実行させるようにしてもよい。
【０１９２】
本実施形態の音楽コンテンツ販売プログラムは、上記構成に加え、コンピュータに、インターネットを介して配信される音楽コンテンツを保存せず利用者施設内で放送されている音楽のみ購入可能に制限する処理を実行させるようにしてもよく、コンピュータに、利用者施設内の各客用テーブル上にそれぞれ設置される複数の音楽コンテンツ販売装置が音楽コンテンツの購入希望者の携帯情報端末からの購入希望信号を受信する処理を実行させるようにしてもよく、コンピュータに、利用者施設内の清算所に１台のみ設置され音楽コンテンツの購入希望者の携帯情報端末からの購入希望信号を受信する音楽コンテンツ販売装置が利用者施設内の各客用テーブルに音楽コンテンツの購入希望者により購入希望音楽コンテンツの聴取時間が記入されるオーダーシートに記入された聴取時間を音楽コンテンツ販売装置に入力すると、音楽コンテンツが携帯情報端末に配信されるとともに精算所で即時決済する処理を実行させるようにしてもよい。
【０１９３】
本実施形態の音楽コンテンツ販売プログラムは、上記構成に加え、携帯情報端末が電子マネー内蔵型携帯情報端末の場合、コンピュータに、電子マネー内蔵型携帯情報端末で後日接決済を行う処理を実行させるようにしてもよく、コンピュータに、インターネットを利用して後日決済を行う処理を実行させるようにしてもよい。
【０１９４】
本実施形態の記録媒体は、ＢＧＭ用の音楽コンテンツを配信するためのＢＧＭ配信事業者装置と、インターネットを介してＢＧＭ配信事業者装置から配信された音楽コンテンツを放送し、その音楽コンテンツの購入希望者の携帯情報端末から音楽コンテンツの購入希望信号が発生されると、音楽コンテンツが購入希望者の携帯情報端末へ配信するＢＧＭ配信装置とを備えた音楽コンテンツ販売システムにおける携帯情報端末のコンピュータに、その音楽コンテンツの購入希望者の携帯情報端末から音楽コンテンツの購入希望信号が発生されると、利用者施設内に配置された音楽コンテンツ販売装置から音楽コンテンツが購入希望者の携帯情報端末へ配信される処理を実行させるプログラムを記録したことを特徴とする。
【０１９５】
本実施形態の記録媒体は、上記構成に加え、コンピュータに、インターネットを介して配信される音楽コンテンツを全て保存手段で保存し、選曲手段で選曲した後で利用者施設内で音楽を放送する処理を実行させるプログラムを記録してもよく、コンピュータに、インターネットを介して配信される音楽コンテンツを現在放送している音楽からｎ（１≦ｎ）曲前までのｎ＋１曲分だけ保存すると共に購入希望者の希望することができる音楽コンテンツを、現在放送されている音楽のｎ（１≦ｎ）曲前までに制限する処理を実行させるプログラムを記録してもよい。
【０１９６】
本実施形態の記録媒体は、上記構成に加え、コンピュータに、インターネットを介して配信される音楽コンテンツを保存せず利用者施設内で放送されている音楽のみ購入可能に制限する処理を実行させるプログラムを記録してもよく、コンピュータに、利用者施設内の各客用テーブル上にそれぞれ設置される複数の音楽コンテンツ販売装置が音楽コンテンツの購入希望者の携帯情報端末からの購入希望信号を受信する処理を実行させるプログラムを記録してもよい。
【０１９７】
本実施形態の記録媒体は、上記構成に加え、コンピュータに、利用者施設内の清算所に１台のみ設置され音楽コンテンツの購入希望者の携帯情報端末からの購入希望信号を受信する音楽コンテンツ販売装置が利用者施設内の各客用テーブルに音楽コンテンツの購入希望者により購入希望音楽コンテンツの聴取時間が記入されるオーダーシートに記入された聴取時間を音楽コンテンツ販売装置に入力すると、音楽コンテンツが携帯情報端末に配信されるとともに精算所で即時決済する処理を実行させるプログラムを記録してもよく、携帯情報端末が電子マネー内蔵型携帯情報端末の場合、コンピュータに、電子マネー内蔵型携帯情報端末で後日接決済を行う処理を実行させるプログラムを記録してもよく、コンピュータに、インターネットを利用して後日決済を行う処理を実行させるプログラムを記録してもよい。
【実施例１】
【０１９８】
〔構  成〕
次に、本発明の一実施例の構成について図面を参照して詳細に説明する。
図１は本発明に係る音楽コンテンツ販売方法を適用した音楽コンテンツ販売システムの一実施例を示すブロック図である。
図１を参照すると、本実施例の音楽コンテンツ販売システムは、消費者１の携帯情報端末１０と、ＢＧＭ利用者２側の各装置２０、２１、２２と、ＢＧＭ配信事業者３がの各装置３０、３１、３２とで構成されている。２０は利用者側のゲートウェイ２０であり、２１はＢＧＭ再生装置であり、２２は音楽コンテンツ販売装置であり、３０は配信者側のゲートウェイであり、３１はＢＧＭ配信サーバ３１であり、３２は楽曲ＤＢ（データベース）３２である。
【０１９９】
消費者１は、例えばレストラン、料亭、喫茶店等の客であり、携帯情報端末１０の所有者でもある。
ＢＧＭ利用者２は、レストラン等、ＢＧＭ配信を利用する店舗の経営者であり、ゲートウェイ２０、ＢＧＭ再生装置２１、及び音楽コンテンツ販売装置２２の所有者でもある。
【０２００】
ＢＧＭ配信事業者３は、ＢＧＭを配信する音楽コンテンツ配信事業者であり、ゲートウェイ３０、ＢＧＭ配信サーバ３１、及び楽曲ＤＢ３２の所有者でもある。
【０２０１】
携帯情報端末１０は、インターネット接続装置や赤外線通信装置等による外部通信機能付の携帯電話である。
【０２０２】
ゲートウェイ２０は、インターネット網と、ＢＧＭ再生装置２1および音楽コンテンツ販売装置２２とを接続するためのものであり、ＢＧＭ利用者２側の利用者施設内に設置される。
ＢＧＭ再生装置２１は、ＢＧＭ配信事業者３より配信されたＢＧＭを再生するための装置であり、ＢＧＭ利用者２側の利用者施設（例えば、レストラン）内に設置される。
音楽コンテンツ販売装置２２は、音楽コンテンツを販売するための装置であり、選曲手段と、音楽コンテンツ保存手段と、音楽コンテンツ送信手段と、決済手段とを備えており、ＢＧＭ配信事業者３によりＢＧＭ利用者２が所有する利用者施設内の各テーブルに設置される。
【０２０３】
ここで、選曲手段はなくともよいが（現在流れているＢＧＭのみしか販売できない）、消費者１がＢＧＭを聞いてから購入するか否かを検討する時間を考慮して「現在流れている曲、1曲前の曲、・・・ｎ曲前の曲」等の選択手段がある事が望ましい。
この場合、無期限に選択させるのは無意味であるので、現実的には３曲程度が好ましい（ｎ＝２）。
音楽コンテンツ保存手段はなくともよいが、選曲手段設定曲数分の保存機能がある事が望ましい（例えば、３曲分の楽曲を録音できる程度の容量の半導体メモリがあることが望ましい。）。
【０２０４】
選曲手段がない場合には、音楽コンテンツが消費者１から選択されるたびに、ＢＧＭ配信事業者３のＢＧＭ配信サーバ３１を通して楽曲ＤＢ３２よりダウンロードする。
送信手段は、赤外線通信にて音楽コンテンツを赤外線通信対応型の携帯電話へ送信可能なものである。尚、送信手段は他の方式、たとえばブルートゥースやインターネットであってもよい。
【０２０５】
決済手段は、電子マネー内蔵型携帯電話での決済に対応したものが望ましいが、普及台数を考慮して、インターネット決済（いわゆる自動販売機）であってもよい（現金決済もしくはカード決済を用いてもよいが、この場合は人為的な取り決めとなるため、決済手段は無いことになる。
【０２０６】
ゲートウェイ３０は、インターネット１００と、ＢＧＭ配信システムとしてのＢＧＭ配信サーバ３１及び楽曲ＤＢ３２とを接続するためのものであり、ＢＧＭ配信事業者３の配信施設内に設置される。
【０２０７】
ＢＧＭ配信サーバ３１は、ＢＧＭ配信を管理するための情報処理装置であり、ＢＧＭ配信機能と、配信管理機能（配信時間、配信曲名等）とを有する。
【０２０８】
楽曲ＤＢ３２は、音楽コンテンツの保存機能およびＢＧＭ配信サーバ３１により指定された楽曲データを送信する機能とを有する情報処理装置である。
【０２０９】
〔動作の説明〕
次に、図１のブロック及び図２のシーケンスを参照して本実施例の動作について詳細に説明する。
図２は、図１に示した音楽コンテンツ販売システムの動作を説明するためのシーケンス図である。
図２を参照すると、ＢＧＭ利用者２は、ＢＧＭ配信事業者３と、ＢＧＭ配信および音楽コンテンツ販売契約を締結した後、所定金額のＢＧＭ配信利用料を支払う(ステップＡ１)。
ＢＧＭ配信事業者３は、ＢＧＭ利用者２に音楽コンテンツ販売装置２２を貸与し、ＢＧＭ利用者の所有する店舗内に設置する(ステップＡ２)。
ＢＧＭ配信事業者３は、ＢＧＭをＢＧＭ利用者２に配信し、ＢＧＭ利用者２は、配信されたＢＧＭをＢＧＭ再生装置２１にて店舗内に流す(ステップＡ３〜Ａ４)。
尚、音楽コンテンツ販売装置２２に保存機能がある場合には、配信された音楽コンテンツは音楽コンテンツ販売装置２２に保存される(ステップＡ５)。
【０２１０】
消費者１は、店舗内で聞いたＢＧＭを購入したいと思った場合には、各テーブルに設置されている音楽コンテンツ販売装置２２の図示しないボタンを操作することにより曲を選択する(ステップＡ６)。
音楽コンテンツ販売装置２２は、消費者１によって選択された曲をブルーツース等を用いて携帯情報端末１０に送信し、消費者１からコンテンツ料金を受け取る(ステップＡ７〜Ａ８)。
【０２１１】
ＢＧＭ配信事業者３は、ＢＧＭ利用者２に対して販売実績に応じた報酬を支払う(ステップＡ９)。
【０２１２】
〔効果の説明〕
第１の効果は消費者の利便性の向上である。その理由は、レストラン等で流れているＢＧＭの曲名やアーティストがわからなくても音楽コンテンツを購入できるからである。
第２の理由は音楽コンテンツ配信事業者の販売機会向上である。その理由は、レストラン等ＢＧＭを流している場所に音楽コンテンツ販売装置を設置することにより、消費者が興味を抱いた時点ですぐに購入行為へと誘導できるからである。
第３の理由はレストラン等の収益向上である。その理由は、消費者に対するサービス提供による集客効果およびコンテンツ配信事業者からの売上げに応じた成功報酬が得られるからである。
【実施例２】
【０２１３】
次に本発明に係る第２の実施例について説明する。
第１の実施例では、音楽コンテンツ販売装置２２を各テーブルに設置した場合で説明したが、本発明はこれに限定されるものではなく、音楽コンテンツ販売装置２２をレジ等の（精算所）に１台のみ設置するものである。
この場合、消費者１による楽曲選択のため、各テーブルに紙のオーダーシートを配布しておく。
消費者１は、店舗内で聞いたＢＧＭを購入したい場合には、オーダーシートに聴取時間を記入し、清算時にそのオーダーシートを店員に渡し、レジ等に設置された音楽コンテンツ販売装置２２にて購入するものである。尚、この場合の音楽コンテンツ販売装置２２は時間を入力すれば該当する時間に流れたＢＧＭを特定する機能を持つものとする。
【０２１４】
本実施例においては音楽コンテンツ販売装置２２の設置コストが低減されるだけでなく、音楽コンテンツ販売代金も飲食代と合算して請求できるため、携帯電話での決済に躊躇する消費者に対しても販売機会を得ることが出来、店舗の売り上げの向上が期待できる。
【０２１５】
尚、上述した各実施例は、本発明の好適な実施例であり、本発明の趣旨を逸脱しない範囲内において、種々変形することが可能である。
【０２１６】
また、上述した実施例としての方法や装置等を実現するための処理手順を有するプログラムやプログラムを記録媒体に記録することにより、本発明の実施例による各機能を、その記録媒体から供給されるプログラムによって、システムを構成する音楽コンテンツ販売装置２２やＢＧＭ配信サーバ３１や携帯情報端末１０のコンピュータのＣＰＵに処理を行わせて実現させることが可能である。
この場合、上記の記録媒体により、あるいはネットワークを介して外部の記録媒体から、プログラムを含む情報群を供給する場合でも本発明は適用されるものである。
すなわち、記録媒体から読み出されたプログラムコード自体が本発明の新規な機能を実現することになり、そのプログラムコードを記憶した記録媒体及びその記録媒体から読み出された信号は本発明を構成することになる。
この記録媒体としては、例えば、フレキシブルディスク、ハードディスク、光ディスク、光磁気ディスク、フラッシュメモリ、ＣＤ−ＲＯＭ、ＣＤ−Ｒ、磁気テープ、不揮発性メモリカード、ＲＯＭ、ＥＥＰＲＯＭ等を用いてよい。
本発明に係るプログラムによれば、当該プログラムによって制御される音楽コンテンツ販売システム、ＢＧＭ配信装置、ＢＧＭ配信事業者装置、携帯情報端末に、上述した本発明に係る実施例としての各機能を実現させることができる。
【産業上の利用可能性】
【０２１７】
本発明は、レストラン、料亭、喫茶店等の店舗におけるＢＧＭの販売に利用することができる。
【図面の簡単な説明】
【０２１８】
【図１】本発明に係る音楽コンテンツ販売方法を適用した音楽コンテンツ販売システムの一実施例を示すブロック図である。
【図２】図１に示した音楽コンテンツ販売システムの動作を説明するためのシーケンス図である。
【符号の説明】
【０２１９】
１    消費者
２    ＢＧＭ利用者
３    ＢＧＭ配信事業者
１０    携帯情報端末
２０、３０    ゲートウェイ
２１    ＢＧＭ再生装置
２２    音楽コンテンツ販売装置
３１    ＢＧＭ配信サーバ
３２    楽曲ＤＢ
【図１】
2006259907.tif 000003
【図２】
2006259907.tif 000004